(57)【要約】  冷蔵庫は、本体と、複数のにおいを検出可能であるにおい検出装置と、を備える。におい検出装置は、におい検出装置を効率的に機能させるように設定された設置領域に設けられる。
2019111850.tif 000002
【特許請求の範囲】
【請求項１】
本体と、
複数のにおいを検出可能であるにおい検出装置と、
を備え、
前記におい検出装置は、前記におい検出装置を効率的に機能させるように設定された設置領域に設けられる冷蔵庫。
【請求項２】
前記本体には、貯蔵物を貯蔵する複数の貯蔵室が設けられ、
複数の前記貯蔵室を開閉する扉を備え、
前記設置領域は、複数の前記貯蔵室および前記扉のうち少なくとも１つに設定されている請求項１に記載の冷蔵庫。
【請求項３】
前記設置領域は、前記貯蔵室の上面に設定されている請求項２に記載の冷蔵庫。
【請求項４】
前記設置領域は、前記貯蔵室の下面に設定されている請求項２または３に記載の冷蔵庫。
【請求項５】
前記設置領域は、前記貯蔵室の側面に設定されている請求項２から４のいずれか一項に記載の冷蔵庫。
【請求項６】
前記設置領域は、前記貯蔵室の背面に設定されている請求項２から５のいずれか一項に記載の冷蔵庫。
【請求項７】
前記設置領域は、前記貯蔵室の角部に設定されている請求項２から６のいずれか一項に記載の冷蔵庫。
【請求項８】
複数の前記貯蔵室には、チルド室が含まれており、
前記設置領域は、前記チルド室の天井の上部に設定されている請求項２から７のいずれか一項に記載の冷蔵庫。
【請求項９】
前記複数の貯蔵室には、チルド室が含まれており、
前記設置領域は、前記チルド室を開閉する前記扉に設定されている請求項２から８のいずれか一項に記載の冷蔵庫。
【請求項１０】
前記貯蔵室には、ケースが設けられており、
前記設置領域は、前記ケースに設定されている請求項２から９のいずれか一項に記載の冷蔵庫。
【請求項１１】
前記貯蔵室には、製氷タンクが設けられており、
前記設置領域は、前記製氷タンクに設定されている請求項２から１０のいずれか一項に記載の冷蔵庫。
【請求項１２】
前記扉には、ドアポケットが設けられており、
前記設置領域は、前記ドアポケットに設定されている請求項２から１１のいずれか一項に記載の冷蔵庫。
【請求項１３】
前記扉には、前記本体の前面開口部を開閉する左扉および右扉が含まれており、
前記左扉および前記右扉の一方には、他方との隙間を埋めるための仕切り部材が設けられており、
前記設置領域は、前記仕切り部材に設定されている請求項２から１２のいずれか一項に記載の冷蔵庫。
【請求項１４】
前記におい検出装置は、においを検出するための検知面を備え、
前記設置領域は、前記検知面が前記貯蔵室を構成する壁の面に対して平行となるように設定されている請求項２に記載の冷蔵庫。
【請求項１５】
前記におい検出装置は、においを検出するための検知面を備え、
前記設置領域は、前記検知面が前記貯蔵室を構成する壁の面に対して垂直となるように設定されている請求項２に記載の冷蔵庫。
【請求項１６】
前記におい検出装置は、においを検出するための検知面を備え、
前記設置領域は、前記検知面が前記貯蔵室を構成する壁の面に対して平行と垂直の間である斜めとなるように設定されている請求項２に記載の冷蔵庫。
【請求項１７】
前記設置領域は、前記におい検出装置の全てが前記貯蔵室を構成する壁に埋め込まれるように設定されている請求項２に記載の冷蔵庫。
【請求項１８】
前記設置領域は、前記におい検出装置の一部が前記貯蔵室を構成する壁に埋め込まれるように設定されている請求項２に記載の冷蔵庫。
【請求項１９】
前記設置領域は、前記におい検出装置が前記貯蔵室を構成する壁から突出するように設定されている請求項２に記載の冷蔵庫。
【請求項２０】
前記設置領域は、前記におい検出装置が前記貯蔵室から独立して設置されるように設定されている請求項２に記載の冷蔵庫。
【請求項２１】
前記設置領域は、前記貯蔵室内の空気の流れにおいて前記貯蔵室に貯蔵される貯蔵物よりも上流側に前記におい検出装置が設置されるように設定されている請求項２に記載の冷蔵庫。
【請求項２２】
前記設置領域は、前記貯蔵室内の空気の流れにおいて前記貯蔵室に貯蔵される貯蔵物よりも下流側に前記におい検出装置が設置されるように設定されている請求項２に記載の冷蔵庫。
【請求項２３】
前記設置領域は、前記本体の外部である庫外に設定されている請求項１に記載の冷蔵庫。
【請求項２４】
前記本体の内部である庫内を区画する仕切り板を備え、
前記設置領域は、前記仕切り板に設定されている請求項１に記載の冷蔵庫。
【請求項２５】
前記設置領域は、前記仕切り板の側面に設定されている請求項２４に記載の冷蔵庫。
【請求項２６】
前記本体の内部である庫内の脱臭を行う脱臭装置を備え、
前記設置領域は、前記庫内の空気の流れにおいて前記脱臭装置よりも上流側に前記におい検出装置が設置されるように設定されている請求項１に記載の冷蔵庫。
【請求項２７】
前記本体の内部である庫内の脱臭を行う脱臭装置を備え、
前記設置領域は、前記庫内の空気の流れにおいて前記脱臭装置よりも下流側に前記におい検出装置が設置されるように設定されている請求項１に記載の冷蔵庫。
【請求項２８】
前記本体の内部である庫内の湿度を調整する調湿部材を備え、
前記設置領域は、前記庫内の空気の流れにおいて前記調湿部材よりも上流側に前記におい検出装置が設置されるように設定されている請求項１に記載の冷蔵庫。
【請求項２９】
前記本体の内部である庫内の湿度を調整する調湿部材を備え、
前記設置領域は、前記庫内の空気の流れにおいて前記調湿部材よりも下流側に前記におい検出装置が設置されるように設定されている請求項１に記載の冷蔵庫。
【請求項３０】
前記におい検出装置は、においを検出するための検知面を備え、
前記設置領域は、前記検知面が前記本体の内部である庫内の空気の流れに対して平行となるように設定されている請求項１に記載の冷蔵庫。
【請求項３１】
前記におい検出装置は、においを検出するための検知面を備え、
前記設置領域は、前記検知面が前記本体の内部である庫内の空気の流れに対して垂直となるように設定されている請求項１に記載の冷蔵庫。
【請求項３２】
前記におい検出装置は、においを検出するための検知面を備え、
前記設置領域は、前記検知面が前記本体の内部である庫内の空気の流れに対して平行と垂直の間である斜めとなるように設定されている請求項１に記載の冷蔵庫。
【請求項３３】
前記設置領域は、ユーザにより認識可能な位置に設定されている請求項１から３２のいずれか一項に記載の冷蔵庫。
【請求項３４】
前記におい検出装置は、においを検出するための検知面を複数備えた構成である請求項１から３３のいずれか一項に記載の冷蔵庫。
【請求項３５】
前記におい検出装置は、２種類以上の分子を検出することができる構成である請求項１から３４のいずれか一項に記載の冷蔵庫。
【請求項３６】
前記におい検出装置は、前記本体に設けられた電源から給電されることにより動作する構成となっている請求項１から３５のいずれか一項に記載の冷蔵庫。
【請求項３７】
前記におい検出装置は、外部の装置との間で無線通信を行うことができる無線通信部を備えている請求項１から３６のいずれか一項に記載の冷蔵庫。
【発明の詳細な説明】
【技術分野】
【０００１】
本発明の実施形態は、冷蔵庫に関する。
【背景技術】
【０００２】
従来、冷蔵庫で保存されている食材の品質管理のために様々なセンサが考案されている。そして、それらセンサの一つである気体分子を検出するにおいセンサが搭載された冷蔵庫が提案されている。しかし、従来の構成では、においセンサの設置場所、空気の流れなどが最適化されておらず、においセンサの検出精度を十分に向上することができないとともに、冷蔵庫の冷却性能が低下する可能性があった。
【先行技術文献】
【特許文献】
【０００３】
【特許文献１】国際公開第２０１７／１５０２１６号公報
【発明の概要】
【発明が解決しようとする課題】
【０００４】
そこで、冷却性能を良好に維持しつつニオイの検出精度を向上することができる冷蔵庫を提供する。
【課題を解決するための手段】
【０００５】
実施形態の冷蔵庫は、本体と、複数のにおいを検出可能であるにおい検出装置と、を備える。前記におい検出装置は、前記におい検出装置を効率的に機能させるように設定された設置領域に設けられる。
【図面の簡単な説明】
【０００６】
【図１】一実施形態に係る冷蔵庫を正面側から見た状態を模式的に示す図
【図２】一実施形態に係る冷蔵庫を側面側から見た状態を模式的に示す図
【図３】一実施形態に係るにおい測定システムの構成を模式的に示す図
【図４】一実施形態に係るにおいセンサの構成例を模式的に示す図
【図５】一実施形態に係る冷蔵庫の本体、ダクトおよびダクトから排出される冷気を模式的に示す図
【図６Ａ】一実施形態に係るにおいセンサの設置領域の具体例２２を説明する図であり、においセンサを貯蔵室の壁に取り付けるための構造を模式的に示す図
【図６Ｂ】一実施形態に係るにおいセンサの設置領域の具体例２３を説明する図であり、においセンサを貯蔵室の壁に取り付けるための構造を模式的に示す図
【図６Ｃ】一実施形態に係るにおいセンサの設置領域の具体例２４を説明する図であり、においセンサを貯蔵室の壁に取り付けるための構造を模式的に示す図
【図６Ｄ】一実施形態に係るにおいセンサの設置領域の具体例２５を説明する図であり、においセンサを貯蔵室の壁に取り付けるための構造を模式的に示す図
【図７Ａ】一実施形態に係るにおいセンサの設置領域の具体例２６を説明する図であり、においセンサを貯蔵室の壁に取り付けるための構造を模式的に示す図
【図７Ｂ】一実施形態に係るにおいセンサの設置領域の具体例２７を説明する図であり、においセンサを貯蔵室の壁に取り付けるための構造を模式的に示す図
【図７Ｃ】一実施形態に係るにおいセンサの設置領域の具体例２８を説明する図であり、においセンサを貯蔵室の壁に取り付けるための構造を模式的に示す図
【図８Ａ】一実施形態に係るにおいセンサの設置領域の具体例２９を説明する図であり、においセンサの検知面と庫内の空気の流れとの関係を模式的に示す図
【図８Ｂ】一実施形態に係るにおいセンサの設置領域の具体例３０を説明する図であり、においセンサの検知面と庫内の空気の流れとの関係を模式的に示す図
【図８Ｃ】一実施形態に係るにおいセンサの設置領域の具体例３１を説明する図であり、においセンサの検知面と庫内の空気の流れとの関係を模式的に示す図
【図９Ａ】においセンサの他の構成例を模式的に示す図その１
【図９Ｂ】においセンサの他の構成例を模式的に示す図その２
【図９Ｃ】においセンサの他の構成例を模式的に示す図その３
【図９Ｄ】においセンサの他の構成例を模式的に示す図その４
【発明を実施するための形態】
【０００７】
以下、一実施形態について図面を参照して説明する。
図１および図２に示すように、本実施形態の冷蔵庫１は、本体２の上部から順に、食品、食材などの物品である貯蔵物を貯蔵するための複数の貯蔵室である冷蔵室３、野菜室４、製氷室５、上部冷凍室６および下部冷凍室７が設けられている。なお、以下の説明では、図１における左側を冷蔵庫１の左側とし、図１における右側を冷蔵庫１の右側とし、図２における左側を冷蔵庫１の前側（前面側）とし、図２における右側を冷蔵庫１の後側（背面側）とする。
【０００８】
冷蔵室３および野菜室４と、製氷室５および上部冷凍室６との間は、図示しない断熱仕切壁により仕切られている。冷蔵室３は、いわゆる両開き式の左扉３ａおよび右扉３ｂによって開閉される。つまり、左扉３ａおよび右扉３ｂにより、本体２の前面開口部が開閉される。野菜室４、製氷室５、上部冷凍室６および下部冷凍室７は、引き出し式の扉４ａ、扉５ａ、扉６ａおよび扉７ａによってそれぞれ開閉されるようになっている。なお、左扉３ａ、右扉３ｂ、扉４ａ、扉５ａ、扉６ａおよび扉７ａは、複数の貯蔵室を開閉する扉に相当する。
【０００９】
各扉には、その開閉状態を検知するためのセンサ（図示略）が設けられている。なお、図１および図２に示す冷蔵庫１の構成は一例であり、各貯蔵庫の配置順が異なっていてもよいし、例えば上部冷凍室６が冷蔵と冷凍とを切り替え可能な切替室であるような構成でもよい。
【００１０】
冷蔵室３の左扉３ａには、上段から順にドアポケット８ａ、ドアポケット９ａ、ドアポケット１０ａが設けられており、右扉３ｂには、上段から順にドアポケット８ｂ、ドアポケット９ｂ、ドアポケット１０ｂが設けられている。また、冷蔵室３内には、例えばガラスや、透明性を有する樹脂（例えばアクリル樹脂など）などの透明性材料で形成されている複数の棚板１１ａ、１１ｂ、１１ｃ、１１ｄが設けられているとともに、最下段には、チルド室１２および製氷タンク１３が配置されている。チルド室１２は、複数の貯蔵室のうちの一つに相当する。チルド室１２は、扉１２ａによって開閉される。
【００１１】
なお、以下では、棚板１１ａ〜１１ｄのそれぞれを区別する必要がない場合、それらを総称して棚板１１とも呼ぶ。複数の棚板１１のうち、最下段に配置された棚板１１ｄは、チルド室１２の天井（屋根）を構成している。本実施形態において、棚板１１は、冷蔵室３の内部、つまり本体２の内部である庫内を区画する仕切り板に相当する。
【００１２】
冷蔵室３の上部には、照明手段としての天井ライト１４が設けられている。なお、冷蔵室３内には、側面に設けられている側面ライト（図示略）も設けられている。このうち、天井ライト１４は庫内の上部側、上記側面ライトは庫内の中央部や下部など、庫内の特定の位置を照らすために設けられている。
【００１３】
冷蔵室３の左扉３ａおよび右扉３ｂは、その前面が絶縁性のガラス材料で形成されたガラス板３ｂ１で覆われており、その内部には断熱材であるウレタンが充填剤として充填されており、その内側については、周知のように、非金属の樹脂製の内板１５および縦板１６を備えている。つまり、左扉３ａおよび右扉３ｂの前面側は、電波を透過させる非金属製材料であるガラス板３ｂ１により構成されている。上記したドアポケット８〜１０は、内板１５に設けられている。また、野菜室４の扉４ａなども、右扉３ｂと同様にその前面がガラス板で覆われており、内部にはウレタンが断熱材として充填されている構成となっている。
【００１４】
左扉３ａには、右扉３ｂとの隙間を埋めるための回動式の縦仕切り１７が設けられている。縦仕切り１７は、仕切り部材に相当する。図示は省略するが、縦仕切り１７は、中空の内部空間を有しており、その内部空間には、結露防止用のヒータなどが設けられている。なお、縦仕切り１７を右扉３ｂに設け、左扉３ａとの隙間を埋めるようにしてもよい。
【００１５】
図２に示すように、各貯蔵室には、食品、食材などの物品を貯蔵する容器が設けられている。具体的には、チルド室１２にはケース２１ａ、２１ｂが設けられ、野菜室４にはケース２２ａ、２２ｂが設けられ、製氷室５にはケース２３ａが設けられ、下部冷凍室７にはケース２４ａ、２４ｂが設けられている。
【００１６】
図２に示すように、下部冷凍室７の背面側、すなわち本体２の背面側の底部には、機械室が設けられており、この機械室に圧縮機２５などが配置されている。上部冷凍室６および下部冷凍室７の背面には、蒸発器２６およびファン２７が設けられている。冷蔵室３の下部および野菜室４の上部の背面には、蒸発器２８および脱臭装置２９が設けられている。圧縮機２５、蒸発器２６、蒸発器２８などは、周知の冷凍サイクルを構成している。脱臭装置２９は、本体２の内部である庫内の脱臭（または消臭）を行う。
【００１７】
上記構成の冷蔵庫１には、においを検出するにおい検出装置に相当するにおいセンサが搭載される。以下、冷蔵庫１に搭載されるにおいセンサの一例について図３および図４を参照して説明する。図３に示すように、においセンサ１００は、冷蔵庫１に備えられる制御装置２００とともに、におい測定システムＳを構築している。制御装置２００は、例えばマイクロコンピュータを主体として構成されており、冷蔵庫１の動作全般を制御する。また、制御装置２００は、においセンサ１００と協働することにより、庫内または庫外のにおいを測定するにおい測定部として機能する。
【００１８】
詳細は後述するが、においセンサ１００は、２種類以上の分子（におい分子）を検出することができるものであり、複数のにおいを検出可能な構成となっている。図４などに示すように、においセンサ１００は、基板１０１に複数のセンサ素子１０２を実装した構成となっている。センサ素子１０２は、それぞれ、センサ本体部１０３の表面に、におい物質を吸着する物質吸着膜１０４が設けられた構成となっている。なお、においセンサ１００は、さらに、励振電極を備える構成としてもよい。この場合、物質吸着膜１０４は、においを検出するための検知面に相当する。以下、物質吸着膜１０４のことを、検知面１０４とも呼ぶ。
【００１９】
基板１０１は、例えば、シリコン基板、水晶結晶からなる基板、プリント配線基板、セラミック基板、樹脂基板などで構成することができる。物質吸着膜１０４は、例えば、π電子共役高分子からなる薄膜である。π電子共役高分子膜には、ドーパントとして無機酸、有機酸、イオン性液体からなる少なくとも１種類を含むことが可能である。
【００２０】
センサ本体部１０３は、物質吸着膜１０４の表面に吸着した物質による物理的、化学的、または電気的な特性の変化を測定することにより、物質吸着膜１０４に対する物質の吸着状況を測定する信号変換部、すなわちトランスデューサとして機能するように設けられている。物理的、化学的、または電気的な特性を示す要素としては、例えば、水晶振動子センサ、表面弾性波センサ、電界効果トランジスタセンサ、電荷結合素子センサ、ＭＯＳ電界効果トランジスタセンサ、金属酸化物半導体センサ、有機導電性ポリマーセンサ、電気化学的センサなどが考えられる。なお、センサ本体部１０３を構成する要素は、これらのセンサ類に限定されるものではなく、例えば測定対象にしたい物質の種類などに応じて種々の要素を適宜用いることができる。
【００２１】
また、センサ本体部１０３の構造は、例えば測定対象にしたい物質の種類などに応じて種々異なる構造をとることができる。例えば、水晶振動子を用いる場合には、通常の電極を両面に設けた構造としてもよいし、振動の状態を示す値、いわゆるＱ値を高くとることが可能な片面電極のみを分離電極とした構造のものを用いてもよい。
【００２２】
また、物質吸着膜１０４として用いられるπ電子共役高分子は、例えば、ポリピロールおよびその誘導体、ポリアニリンおよびその誘導体、ポリチオフェンおよびその誘導体、ポリアセチレンおよびその誘導体、ポリアズレンおよびその誘導体など、いわゆるπ電子共役高分子を骨格とする高分子を用いることが好ましい。通常、こうしたπ電子共役高分子は、酸化状態で骨格高分子自体がカチオンとなり、ドーパントとしてアニオンを含むことによって導電性を発現する。なお、物質吸着膜１０４を構成する要素は、これらの高分子に限られるものではなく、例えば測定対象にしたい物質の種類などに応じて種々の要素を適宜用いることができる。また、物質吸着膜１０４を構成する要素は、ドーパントを含まない中性のπ電子共役高分子を用いてもよい。
【００２３】
ドーパントを含み、導電性を有するπ電子共役高分子を用いる場合には、ドーパントとして様々な物質を用いることが可能である。使用可能なドーパントとしては、例えば、塩素イオン、塩素酸化物イオン、臭素イオン、硫酸イオン、硝酸イオン、ホウ酸イオンなどの無機イオン、アルキルスルホン酸、ベンゼンスルホン酸、カルボン酸などの有機酸アニオン、ポリアクリル酸、ポリスチレンスルホン酸などの高分子酸アニオンなどが考えられる。
【００２４】
また、上述したような直接的なアニオンの結合体の他に、中性のπ電子共役高分子に、例えば食塩などのような塩、イオン性液体のような陽イオンおよび陰イオンの両方を含むイオン性化合物を共存させることで、化学平衡的にドーピングを行うようにしてもよい。使用可能なイオン性液体としては、例えば、陽イオンではピリジン系、脂環族アミン系、脂肪族アミン系のイオン性液体などが考えられる。また、これに組み合わせる陰イオンの種類を選択することにより、多様な構造を合成することができる。陽イオンとしては、例えば、イミダゾリウム塩類、ピリジニウム塩類などのアンモニウム系イオン、ホスホニウム系イオン、無機系イオンなどが考えられる。また、陰イオンとしては、例えば、臭化物イオン、トリフラートなどのハロゲン系イオン、テトラフェニルボレートなどのホウ素系イオン、ヘキサフルオロホスフェートなどのリン系イオンなどが考えられる。
【００２５】
π電子共役高分子に含むドーパントの含有量は、例えばドーパントを形成する繰り返し単位２つあたり１分子のドーパントが入る状態を１とすると、０．０１〜５の範囲、好ましくは、０．１〜２の範囲に調整するとよい。ドーパントの含有量が、この範囲の最低値以下であると膜の特性が消失し、最大値以上であると高分子自体の吸着特性の効果が消失し、望ましい吸着特性を有する膜を形成することが困難となる。また、低分子量物質であるドーパントが優勢な膜となってしまい、膜の耐久性が大幅に低下してしまう。そのため、ドーパントの含有量を上述の範囲内に調整することにより、におい物質の検出感度を好適に維持することができる。
【００２６】
また、物質吸着膜１０４の厚さは、吸着対象となる物質の特性に応じて適宜選択することができる。具体的には、物質吸着膜１０４の厚さは、例えば、１０ｎｍ〜１０μｍの範囲に調整するとよく、より好ましくは、５０ｎｍ〜８００μｍの範囲に調整するとよい。膜厚が１０ｎｍ以下になると十分な検出感度を得ることができない。また、膜厚が１０μｍ以上になると、センサ素子により測定することができる重量の上限を超えてしまうため、好ましくない。
【００２７】
また、物質吸着膜１０４は、例えば、溶媒原液を種々の溶媒により希釈した後、これにドーパント成分を溶解させることにより膜液を調整し、これを、例えばマイクロディスペンサなどによりセンサ素子の表面に滴下することにより形成することができる。なお、物質吸着膜１０４の製造方法は、これに限られるものではなく、種々の方法により製造することができる。
【００２８】
上述した構成のセンサ素子１０２によれば、物質吸着膜１０４に吸着されるにおい物質の種類に応じてセンサ本体部１０３の振動が異なるようになる。そのため、においセンサ１００は、このセンサ本体部１０３の振動の変化に基づき、物質吸着膜１０４に吸着されているにおい物質の種類を特定することができるようになっている。
【００２９】
そして、においセンサ１００は、このように構成されるセンサ素子１０２（センサ本体部１０３および検知面１０４）を複数備えている。また、複数のセンサ素子１０２は、基板１０１上においてアレイ状に配列されている。そのため、各センサ素子１０２の表面に設けられている物質吸着膜１０４の構成を素子ごとに異ならせることにより、様々な特性を有するにおい物質を吸着することが可能になる。この場合、物質吸着膜１０４の構成を調整することにより、１つのセンサ素子１０２によって１種類のにおい物質を検出可能に構成することもできるし、１つのセンサ素子１０２によって複数種類のにおい物質を検出可能に構成することもできる。
【００３０】
また、１つのにおいセンサ１００に搭載するセンサ素子１０２の組み合わせ、換言すれば、物質吸着膜１０４の組み合わせは、例えば測定対象にしたいにおい物質の種類などに応じて適宜変更することが可能である。そして、このように構成されるにおいセンサ１００によれば、におい物質が有する特性、例えば、分子構造などによって、物質吸着膜１０４に対する吸着パターンが異なるようになる。
【００３１】
すなわち、においセンサ１００が出力する吸着パターンは、物質吸着膜１０４に吸着されるにおい物質の種類に応じて異なるようになる。そのため、においセンサ１００は、複数のセンサ素子１０２、換言すれば、複数の物質吸着膜１０４に対するにおい物質の吸着パターンの相違に基づいて、そのにおい物質の種類を特定することが可能となっている。
【００３２】
ここで、従来から提供されている、いわゆるにおいセンサは、におい物質を検出するプローブが１つであるものが殆どであり、したがって、そのプローブに反応する１種類のにおい物質を検出することしかできず、また、その１種類のにおい物質について、その存在量を測定することしかできない。
【００３３】
これに対し、本実施形態に係るにおいセンサ１００は、複数のセンサ素子１０２を備えており、各センサ素子１０２の物質吸着膜１０４の構成を相互に異ならせることにより、相互に異なる特性を有する複数種類のにおい物質を測定することが可能となっている。すなわち、本実施形態に係るにおいセンサ１００は、センサ素子１０２を構成するセンサ本体部１０３および物質吸着膜１０４の構成を適宜組み合わせて用いることができ、したがって、測定対象にしたいにおい物質の特性、換言すれば、におい物質の種類に応じて多様なセンサ構成とすることができる。
【００３４】
また、本実施形態に係るにおいセンサ１００によれば、センサ素子１０２を構成するセンサ本体部１０３および物質吸着膜１０４の構成を適宜組み合わせることにより、ほぼ制限なく様々なにおい物質を検出対象とすることができる。また、検出したいにおい物質の特性に応じて、必要な構成のセンサ素子１０２を必要な数だけ基板１０１に実装することにより、におい全体に含まれる複数種類のにおい物質をそれぞれ定性的に測定することができる。また、においセンサ１００によれば、センサ素子１０２の出力強度に基づき、におい物質の存在量を定量的に測定することができる。よって、本実施形態に係るにおいセンサ１００は、複数種類のにおい物質を含むにおい全体を定量的に分析する場合、および、定性的に分析する場合に好適なセンサとなっている。
【００３５】
続いて、におい測定システムＳによるにおいの測定メカニズムについて説明する。においセンサ１００は、においに含まれるにおい物質がセンサ素子１０２の物質吸着膜１０４に吸着すると、その吸着に伴うセンサ本体部１０３の振動の変化に基づいて、におい物質の吸着パターンＰａを制御装置２００に出力する。
【００３６】
一方、制御装置２００は、例えばメモリなどの記憶媒体により構成される記憶部２０１に、複数種類の判定用吸着パターンＰｂのデータを記憶している。そして、制御装置２００は、においセンサ１００から得られる吸着パターンＰａを、記憶部２０１に格納されている複数種類の判定用吸着パターンＰｂと照合する。判定用吸着パターンＰｂは、所定のにおい物質がにおいセンサ１００によって測定された場合に出力される吸着パターンを予め規定したものであり、本実施形態では、冷蔵庫に特化した吸着パターンが用意されている。
【００３７】
制御装置２００は、においセンサ１００から得られる吸着パターンＰａと記憶部２０１に格納されている複数種類の判定用吸着パターンＰｂとを照合し、吸着パターンＰａと一致または近似する判定用吸着パターンＰｂの有無を確認する。なお、制御装置２００が、両吸着パターンが「近似」していると判定する場合における両パターンの近似度は、適宜変更して設定することができる。そして、制御装置２００は、吸着パターンＰａと一致または近似する判定用吸着パターンＰｂが存在する場合には、その判定用吸着パターンＰｂに対応するにおい物質が存在することを確認する。
【００３８】
上記した構成のにおいセンサ１００は、その設置箇所に応じて、その検出効率などが変化する。例えば、においセンサ１００を冷蔵庫１の奥に設置した場合と手前に設置した場合とでは、付近に置かれる食材、空気の流れ、温度などが異なる可能性があり、その結果、検出効率などが変化する。このような点を踏まえ、本実施形態では、においセンサ１００は、においセンサ１００を効率的に機能させるように設定された設置領域に設けられている。以下、においセンサ１００の設置領域の設定などに関する複数の具体例について説明する。
【００３９】
＜具体例１＞
この場合、においセンサ１００の設置領域は、複数の貯蔵室のそれぞれ、または、複数の貯蔵室の扉のそれぞれに設定される。つまり、この場合、各貯蔵室に対し、専用のにおいセンサ１００が設置されることになる。例えば、設置領域を野菜室４または扉４ａに設定した場合、その設置領域に設けられるにおいセンサ１００は、野菜室４に貯蔵される食材などのにおいだけを検出できればよいため、検出対象の絞り込みを行うことができる。このような効果は、他の貯蔵室またはそれを開閉する扉に設置領域を設定した場合も同様に得られる。
【００４０】
なお、においセンサ１００の設置領域は、必ずしも、複数の貯蔵室のそれぞれ、または、複数の貯蔵室の扉のそれぞれに設定する必要はなく、においを検出する必要がある貯蔵室またはその扉に設定すればよい。すなわち、においセンサ１００の設置領域は、複数の貯蔵室および複数の貯蔵室の扉のうち少なくとも１つに設定すればよい。
【００４１】
＜具体例２＞
この場合、においセンサ１００の設置領域は、例えば野菜室４の上面に設定された設置領域３０１（図２参照）のように、貯蔵室の上面に設定される。つまり、この場合、においセンサ１００は、貯蔵室の上面（天板）に接触した状態で設置されることになる。例えばメタンやアンモニアなどの空気より軽い気体成分は、貯蔵室の上部に集中し易い。したがって、上記構成によれば、上記気体成分が微量であったとしても、それら気体成分を検出し易くなるという効果が得られる。
【００４２】
例えば、においセンサ１００を野菜室４の上面に設置すれば、そのにおいセンサ１００は、高い精度でメタンを検出することができる。また、同様に、においセンサ１００をチルド室１２の上面に設置すれば、そのにおいセンサ１００は、高い精度でアンモニアを検出することができる。また、貯蔵室の上面は、比較的空間が広く空いていることから、空気の流れが確保され易い。したがって、上記構成によれば、貯蔵室全体のにおいを効率良く検出することができる。
【００４３】
＜具体例３＞
この場合、においセンサ１００の設置領域は、例えばチルド室１２の下面に設定された設置領域３０２（図２参照）のように、貯蔵室の下面に設定される。つまり、この場合、においセンサ１００は、貯蔵室の下面に接触した状態で設置されることになる。例えば硫化水素などの空気より重い気体成分は、貯蔵室の下部に集中し易い。したがって、上記構成によれば、上記気体成分が微量であったとしても、それら気体成分を検出し易くなるという効果が得られる。例えば、においセンサ１００をチルド室１２の下面に設置すれば、そのにおいセンサ１００は、高い精度で硫化水素を検出することができる。
【００４４】
＜具体例４＞
この場合、においセンサ１００の設置領域は、例えば野菜室４の前方左側面に設定された設置領域３０３（図２参照）のように、貯蔵室の側面に設定される。つまり、この場合、においセンサ１００は、貯蔵室の側面に接触した状態で設置されることになる。上記構成によれば、においセンサ１００の設置場所の高さ、奥行きの設定の自由度が高くなる。また、上記構成によれば、貯蔵室の上部に集中し易い空気より重い気体成分と貯蔵室の下部に集中し易い空気より重い気体成分との両方を検出することができる。
【００４５】
また、設置領域３０３のように、設置領域が左側面に設定されている場合、冷蔵庫１が元々備えている配線ボックスに近い位置ににおいセンサ１００が設置されることになるため、例えば壁を通して容易に配線することが可能になるなど実装が容易となる。さらに、においセンサ１００を野菜室４の前方左側面に設置すれば、扉４ａが開閉される際の空気の流れにより、においセンサ１００周辺の空気（におい）のリフレッシュを行うことができる。
【００４６】
＜具体例５＞
この場合、においセンサ１００の設置領域は、例えば野菜室４の背面に設定された設置領域３０４（図２参照）のように、貯蔵室の背面に設定される。つまり、この場合、においセンサ１００は、貯蔵室の背面に接触した状態で設置されることになる。上記構成によれば、扉が開閉される際、においセンサ１００周辺における空気の流れが穏やかなものとなるため、においセンサ１００は安定してにおいを検出することができる。
【００４７】
また、貯蔵室の背面には、吹き出しと吸い込みの風路（ダクト）が存在している。そのため、上記構成によれば、においセンサ１００に干渉する風量をコントロールし易い。そこで、においを検出する前に風量を増加させてにおいセンサ１００に付着した分子を吹き飛ばし、においを検出する際には風を止める、という具合で風量をコントロールすれば、においの検出精度を一層高めることができる。さらに、上記構成によれば、食材の周囲を通過する前のにおいと、食材の周囲を通過した後のにおいと、を検出することができる。例えば、においセンサ１００を扉４ａの開閉頻度が高い野菜室４の背面に設置した場合でも、扉４ａの開閉時における空気の流れの影響をあまり受けることなく、においを検出することができる。
【００４８】
＜具体例６＞
この場合、においセンサ１００の設置領域は、例えば野菜室４の角に設定された設置領域３０５（図２参照）のように、貯蔵室の角に設定される。つまり、この場合、においセンサ１００は、貯蔵室の角、つまり２つの以上の面に接触した状態で設置されることになる。
【００４９】
上記構成によれば、風路からにおいセンサ１００までの距離が比較的遠くなり、また周囲に壁が存在する。そのため、上記構成によれば、においセンサ１００周辺の空気の流れが穏やかなものとなるため、においセンサ１００は安定してにおいを検出することができる。また、上記構成によれば、貯蔵物などによってユーザがにおいセンサ１００を視認し難くなるため、貯蔵室内ににおいセンサ１００が設置されていることに対するユーザの抵抗感を軽減することができる。例えば、においセンサ１００を野菜室４の手前側の角に設置すれば、冷却時の空気の流れの影響をあまり受けることなく、においを検出することができる。
【００５０】
＜具体例７＞
この場合、においセンサ１００の設置領域は、例えば扉３ａ、４ａの外側に設定された設置領域３０６、３０７（図２参照）のように、本体２の外部である庫外に設定される。つまり、この場合、においセンサ１００は、冷蔵庫１の外に設置されることになる。上記構成によれば、においセンサ１００によって冷蔵庫１外部の生活空間のにおいを検出することができる。
【００５１】
そのため、上記構成によれば、例えば冷蔵庫１周辺において発生するにおい成分や、火災などにより発生した二酸化炭素を検出することができる。例えば、においセンサ１００を冷蔵庫１の外部に設置すれば、キッチンで発生する酸化した油のにおいを検出したり、コンロの火の消し忘れなどにより発生した二酸化炭素を検出したりすることができる。
【００５２】
＜具体例８＞
この場合、においセンサ１００の設置領域は、例えば前述した設置領域３０６、３０７のように、ユーザにより認識可能な位置に設定される。上記構成によれば、ユーザは、においセンサ１００を任意に利用し、意図的に特定の食材のにおいを検出させることができる。さらに、においセンサ１００の設置箇所、機能などを予め明示しておけば、ユーザは、所望する食材をにおいセンサ１００の前にかざしてにおいを検出させることが可能となる。
【００５３】
上記構成によれば、貯蔵室に限らず単一の食材のにおいを検出することができるため、検出精度を向上させることができる。また、ユーザがにおいセンサ１００が設置されていること、その設置位置などを容易に把握することができることから、においセンサ１００に関連する不具合が生じた場合、ユーザは迅速に対処することができる。なお、この場合の設置領域としては、ユーザが食材をかざし易い扉３ａ、３ｂなどに設定することが望ましい。例えば、においセンサ１００を冷蔵室３の扉３ａまたは３ｂの外側に設置すれば、ユーザが希望の食材をにおいセンサ１００（の検知面１０４）にかざしてにおいを検出することができる。
【００５４】
＜具体例９＞
この場合、においセンサ１００の設置領域は、棚板１１ｄの上部に設定された設置領域３０８（図２参照）のように、チルド室１２の天井の上部に設定されている。上記構成によれば、冷蔵室３の中心付近に貯蔵されている食材、食品などに近い位置からにおいを検出することができる。
【００５５】
また、上記構成によれば、においセンサ１００の検出対象範囲を冷蔵室３の一部分に絞ることが可能となり、においの検出精度を一層向上することができる。においセンサ１００をチルド室１２の天井を構成する棚板１１ｄの上に設置すれば、使用頻度の高い冷蔵室３の中心に集中してにおいを検知することが可能となり、例えば冷蔵室３の中央付近に貯蔵されやすい食材（キャベツ、レタスなど）のにおいを精度良く検出することができる。
【００５６】
＜具体例１０＞
この場合、においセンサ１００は、チルド室１２を開閉する扉１２ａに設定された設置領域３０９（図２参照）に設置される。一般に、チルド室１２の扉１２ａの前方には、食材、食品などの物品が置かれ難い。したがって、上記構成によれば、においセンサ１００の前方に物品が置かれることにより、その検出動作が妨げられる可能性を低く抑えることができる。
【００５７】
＜具体例１１＞
この場合、においセンサ１００の設置領域は、例えば棚板１１ｂの側面に設定された設置領域３１０（図２参照）のように、庫内を区画する棚板１１に設定される。上記構成によれば、においセンサ１００を壁から離した状態で設置することができる。さらに、この場合、においセンサ１００が壁などによって取り囲まれることがないため、においセンサ１００周辺の空気の流れを確保し易くなる。また、棚板１１は、取り外すことが可能であり、その配置を変更することができる構成となっている。したがって、上記構成によれば、ユーザは、棚板１１の配置を変更することにより、においセンサ１００の設置される位置を所望する位置へと変更することができる。
【００５８】
＜具体例１２＞
この場合、においセンサ１００の設置領域は、例えば下部冷凍室７に設けられたケース２４ａ内に設定された設置領域３１１（図２参照）のように、貯蔵室に設けられたケースに設定される。上記構成によれば、壁から離した状態で設置することができるため、においセンサ１００周辺の空気の流れを確保し易くなる。
【００５９】
＜具体例１３＞
この場合、においセンサ１００は、製氷タンク１３に設定された設置領域３１２（図１参照）に設置される。製氷タンク１３は、ユーザが給水をする必要があることから、取り外しが容易な構造となっている。したがって、上記構成によれば、においセンサ１００のメンテナンスがし易くなるという効果が得られる。また、上記構成によれば、製氷用の水のにおいを検出する用途に好適となる。
【００６０】
＜具体例１４＞
この場合、においセンサ１００の設置領域は、例えば扉３ａに設けられたドアポケット１０ａに設定された設置領域３１３のように、扉に設けられたドアポケットに設定される。上記構成によれば、ドアポケットに収納され易い物品（食品、食材など）のにおいを検出する用途に好適となる。また、上記構成によれば、扉３ａ、３ｂが開閉される際の空気の流れにより、においセンサ１００周辺の空気（におい）をリフレッシュすることができる。
【００６１】
冷蔵庫１において、冷蔵室３の冷気は、吹き出しダクトから物品（食品、食材など）が載置される棚板１１を通過して前方へと流れてドアポケット８〜１０にあたるようになっている。したがて、上記構成によれば、棚板１１に載置された貯蔵物のにおいを確実に検出することができる。
【００６２】
＜具体例１５＞
この場合、においセンサ１００は、冷蔵室３を開閉する扉３ａ、３ｂの側面付近、例えば縦仕切り１７に設定された設置領域３１４（図２参照）に設置される。縦仕切り１７の内部には、前述したようにヒータが設けられており、そのヒータのための配線の経路も確保されている。上記構成によれば、においセンサ１００の配線がし易くなるとともに、ヒータと電源を共有することができる。
【００６３】
上記構成によれば、縦仕切り１７に設けられたヒータによってにおいセンサ１００（特に検知面１０４）に付着した霜を取ることができる（結露防止）。なお、本具体例および他の具体例において、においセンサ１００の結露防止のために専用のヒータを設けるようにしてもよい。また、上記構成によれば、扉３ａ、３ｂが開閉される際の空気の流れにより、においセンサ１００周辺の空気（におい）をリフレッシュすることができる。さらに、上記構成によれば、ユーザが冷蔵室３に食品などを収納する際、においセンサ１００の付近を、その食品などが必ず通ることになるため、収納される食品などのにおいを確実に検出することができる。
【００６４】
＜具体例１６＞
この場合、においセンサ１００は、チルド室１２の背面、蒸発器２８の下流、吹き出しダクトの付近に設定された設置領域３１５（図２参照）に設置される。上記構成によれば、扉３ａ、３ｂなどが開閉されることにより庫内の空気が入れ替えられた際、その空気の入れ替えが、においセンサ１００による検出動作に対して及ぼす影響を少なく抑えることができる。
【００６５】
また、上記構成によれば、においセンサ１００による検出動作を実行する際、ファン２７の動作を停止すれば、ファン２７の動作によって流れる冷気の影響が抑えられ、検出対象とするにおいを確実に検出することができる。また、脱臭装置２９を通過したにおい成分の少ない空気をにおいセンサ１００にあてることにより、においセンサ１００周辺の空気（におい）をリフレッシュすることができる。
【００６６】
＜具体例１７＞
この場合、においセンサ１００の設置領域は、冷蔵室３の吸い込みダクト内、例えば蒸発器２８と脱臭装置２９との間に設定された設置領域３１６（図２参照）のように、庫内の空気の流れにおいて蒸発器２８および脱臭装置２９よりも下流側ににおいセンサ１００が設置されるように設定されている。
【００６７】
上記構成によれば、においセンサ１００周辺の空気は、蒸発器２８を通過することにより湿度が低下した環境となる。そのため、においセンサ１００が、湿度が低いほど検出精度などの性能が高まるような構成であれば、においの検出精度などが向上する。また、上記構成によれば、冷蔵室３、野菜室４、チルド室１２から取り込まれた空気がにおいセンサ１００にあてられることになるため、それらの貯蔵室に貯蔵された食材などのにおいを検出する用途に好適となる。
【００６８】
なお、においセンサ１００の設置領域は、庫内の空気の流れにおいて蒸発器２８の上流側ににおいセンサ１００が設置されるように設定してもよい。このようにすれば、においセンサ１００が、湿度が高いほど検出精度などの性能が高まるような構成であれば、においの検出精度などが向上する。また、においセンサ１００の設置領域は、庫内の空気の流れにおいて脱臭装置２９の上流側ににおいセンサ１００が設置されるように設定してもよい。このようにすれば、脱臭装置２９により脱臭される前のにおいを検出することができる。
【００６９】
＜具体例１８＞
この場合、においセンサ１００は、上部冷凍室６および下部冷凍室７の背面であり、蒸発器２６の付近に設定された設置領域３１７に設置される。上記構成によれば、扉６ａ、７ｂなどが開閉されることにより庫内の空気が入れ替えられた際、その空気の入れ替えが、においセンサ１００による検出動作に対して及ぼす影響を少なく抑えることができる。
【００７０】
食品などは常ににおいを放出し続けているが、冷凍が進むと細胞が凍ることでにおいを放出しなくなる。これを利用することにより、においセンサ１００を用いて、上部冷凍室６および下部冷凍室７に貯蔵された食品などの冷凍が完了したかどうかを判断することができる。このような用途に用いる場合、においの変化を検知することができればよい。したがって、この場合、通常の冷気の流れによって平衡化されており、新鮮な空気によるリフレッシュは不要となる。
【００７１】
＜具体例１９＞
この場合、においセンサ１００の設置領域は、例えば図５に示す吹き出し口３１付近に設定された設置領域３１８のように、貯蔵室内の空気の流れにおいて貯蔵室内に貯蔵される貯蔵物よりも上流側ににおいセンサ１００が設置されるように設定されている。なお、図５は、ダクト３２から排出される冷気の流れを模式的に示すものである。
【００７２】
上記構成によれば、ファン２７によって、においセンサ１００に干渉する風量をコントロールし易いため、具体例５と同様の効果が得られる。また、上記構成によれば、脱臭装置２９により脱臭（分解）されたにおいを検出することができる。また、冷蔵庫１の左奥、つまりダクト３２が配置された付近には、配線束が収納されているため、設置領域３１８を冷蔵庫１の左奥に近付けるように設定すれば、配線が容易になるなど、実装面におけるメリットが得られる。
【００７３】
＜具体例２０＞
この場合、においセンサ１００の設置領域は、例えば図５に示す取り込み口３３付近に設定された設置領域３１９のように、貯蔵室内の空気の流れにおいて貯蔵室内に貯蔵される貯蔵物よりも下流側ににおいセンサ１００が設置されるように設定されている。上記構成によれば、貯蔵室内に貯蔵された貯蔵物を通過した後のにおいを検出することができる。
【００７４】
＜具体例２１＞
冷蔵庫１には、本体２の内部である庫内の湿度を調整する調湿部材が設けられる場合がある。調湿部材が設けられる場合、においセンサ１００の設置領域は、庫内の空気の流れにおいて上記調湿部材よりも上流側ににおいセンサ１００が設置されるように設定するとよい。このようにすれば、においセンサ１００が、湿度が高いほど検出精度などの性能が高まるような構成であれば、においの検出精度などが向上する。
【００７５】
また、調湿部材が設けられる場合、においセンサ１００の設置領域は、庫内の空気の流れにおいて上記調湿部材よりも下流側ににおいセンサ１００が設置されるように設定してもよい。このようにすれば、においセンサ１００が、湿度が低いほど検出精度などの性能が高まるような構成であれば、においの検出精度などが向上する。
【００７６】
＜具体例２２＞
この場合、図６Ａに示すように、においセンサ１００の設置領域は、においセンサ１００が貯蔵室を構成する壁３４に埋め込まれるように設定される。なお、壁３４は、その内側（本体２の内側）にウレタン３４ａが配置されるとともに、その外側（本体２の外側）に真空断熱材３４ｂが配置された構成となっている。
【００７７】
図６Ａに示す構造例では、においセンサ１００は、壁３４を削ることにより形成された凹部に接合機構３５を介して接合されている。上記構成によれば、壁３４（ウレタン３４ａおよび真空断熱材３４ｂ）を削る必要があるために断熱性が低下するものの、においセンサ１００が壁３４に完全に埋め込まれた構造となるため、においセンサ１００の設置に関する耐久性を高めることができる。
【００７８】
＜具体例２３＞
この場合、図６Ｂに示すように、においセンサ１００の設置領域は、においセンサ１００の一部が壁３４に埋め込まれるように設定される。図６Ｂに示す構造例では、においセンサ１００は、壁３４を削ることにより形成された凹部に接合機構３６を介して接合されている。上記構成によれば、具体例２２に比べ、においセンサ１００の設置に関する耐久性は低くなるものの、壁３４を削る量が少なくなる分だけ、断熱性の低下を抑制することができる。
【００７９】
＜具体例２４＞
この場合、図６Ｃに示すように、においセンサ１００の設置領域は、においセンサ１００が壁３４から内側（本体２の内側）に向けて突出するように設定される。図６Ｃに示す構造例では、においセンサ１００は、接合機構３７を介して壁３４に接合されている。上記構成によれば、具体例２２、２３に比べ、においセンサ１００の設置に関する耐久性は低くなるものの、壁３４を削る必要がないため、断熱性を良好に維持することができる。
【００８０】
＜具体例２５＞
この場合、図６Ｄに示すように、においセンサ１００の設置領域は、においセンサ１００が貯蔵室（壁３４）から独立して、言い換えると、取り外し可能に設置されるように設定される。図６Ｄに示す構造例では、壁３４に形成されたねじ穴３８に対し、においセンサ１００のセンサ本体部１０３の下面に取り付けられたねじ３９がねじ込まれることにより、においセンサ１００が壁３４に固定されている。また、この場合、センサ本体部１０３の下面と壁３４においてセンサ本体部１０３の下面が接触する箇所には図示しない電極が設けられており、それら電極が接触することにより、電気的接続（信号のやり取り、給電など）が図られるようになっている。
【００８１】
上記構成によれば、においセンサ１００を取り外すことが可能であるため、そのメンテナンスが容易になるという効果が得られる。また、冷蔵庫１の様々な箇所に、上記設置領域を設定しておけば、ユーザが、それら設置領域のうち所望する所ににおいセンサ１００を自由に設置することができる。なお、上記構成においてセンサ１００を壁３４に固定する構造として、ねじ穴３８およびねじ３９を用いた構造に代えて、吸盤などを用いた構造としてもよい。このようにすれば、壁３４を削る必要がなくなることから、断熱性を良好に維持することができる。なお、この場合、上記した電極による電気的接続を図ることができなくなるため、においセンサ１００側および壁３４（本体２）側の双方に無線通信および無線給電を行うための構成を設ける必要がある。
【００８２】
＜具体例２６＞
この場合、図７Ａに示すように、においセンサ１００の設置領域は、においセンサ１００の検知面１０４が壁３４の面に対して平行となるように設定される。図７Ａに示す構造例では、においセンサ１００は、接合機構４１を介して壁３４に接合（接着）されている。上記構成によれば、後述する具体例２７、２８に比べ、接合機構４１が大きくなるものの、においセンサ１００と壁３４とが接触する面積を大きくなることから、においセンサ１００の設置に関する耐久性を高めることができる。
【００８３】
＜具体例２７＞
この場合、図７Ｂに示すように、においセンサ１００の設置領域は、においセンサ１００の検知面１０４が壁３４の面に対して垂直（直角）となるように設定される。図７Ｂに示す構造例では、においセンサ１００は、接合機構４２を介して壁３４に接合（接着）されている。
【００８４】
上記構成によれば、具体例２６に比べ、においセンサ１００と壁３４とが接触する面積が小さくなることからにおいセンサ１００の設置に関する耐久性が低下するものの、接合機構４２を小さくすることができるため、そのコストを低く抑えることができる。また、図７Ｂに示す構造例では、においセンサ１００は、検知面１０４が上側となるように設置されているが、検知面１０４が下側となるように設置することもできる。
【００８５】
＜具体例２８＞
この場合、図７Ｃに示すように、においセンサ１００の設置領域は、においセンサ１００の検知面１０４が壁３４の面に対して平行と垂直の間である斜めとなるように設定される。図７Ｃに示す構造例では、においセンサ１００は、接合機構４３を介して壁３４に接合（接着）されている。上記構成によれば、具体例２６と具体例２７の中間の性能が得られる。また、上記構成によっても、検知面１０４の向きを変更することができる。
【００８６】
＜具体例２９＞
この場合、図８Ａに示すように、においセンサ１００の設置領域は、検知面１０４が本体２の内部である庫内の空気の流れに対して平行となるように設定される。なお、図８では、庫内の空気の流れ（風の流れ）を矢印Ａで模式的に示すとともに、におい分子を白抜きの丸印で模式的に示している。
【００８７】
上記構成によれば、においセンサ１００によって風の流れが阻害されないため、冷却性能を良好に維持することができる。また、上記構成によれば、におい分子が検知面１０４から離れ易いため、リフレッシュの際に有利となる。さらに、上記構成によれば、におい分子が検知面１０４に吸着する量が平衡化し易くなる。
【００８８】
＜具体例３０＞
この場合、図８Ｂに示すように、においセンサ１００の設置領域は、検知面１０４が庫内の空気の流れに対して垂直となるように設定される。上記構成によれば、においセンサ１００によって風の流れが阻害されることから冷却性能が低下するものの、におい分子が検知面１０４から離れ難いため、微量のにおい分子についても検出することができる。
【００８９】
＜具体例３１＞
この場合、図８Ｃに示すように、においセンサ１００の設置領域は、検知面１０４が庫内の空気の流れに対して水平と垂直の間である斜めとなるように設定される。上記構成によれば、具体例２９と具体例３０の中間の性能が得られる。また、上記構成によれば、においセンサ１００が、空気の流れが一定ではなく、変化するような箇所に設けられる場合に好適となる。
【００９０】
図示は省略するが、本実施形態の冷蔵庫１は、本体２の最上部に制御装置２００や電源装置などが搭載された基板が配置されており、その基板から冷蔵庫１の左側の奥を通る配線により各部への給電などが行われるようになっている。また、冷蔵庫１において、チルド室１２付近、上部冷凍室６および下部冷凍室７付近などには、上記配線を中継するための中継ボックスが設けられている。
【００９１】
そのため、においセンサ１００は、このような配線や中継ボックスの近傍に設けるとよい。このようにすれば、においセンサ１００と制御装置２００との間での信号のやり取り（通信）、においセンサ１００に対する動作の電源の供給（給電）を容易に行うことができる。このように、本実施形態において、においセンサ１００は、本体２に設けられた電源から給電されることにより動作する構成となっている。
【００９２】
以下、においセンサ１００の複数の好ましい設置の事例について説明する。
＜設置事例１＞
この場合、においセンサ１００は、具体例２で説明した設置領域３０１において、冷蔵室３と野菜室４とを仕切る仕切りカバー６１の裏面側（野菜室４側）であり且つ仕切りカバー６１の左右方向の中心の位置に、図６Ａに示したような形態で設置されている。すなわち、この場合、仕切りカバー６１の裏面側に溝が掘られており、においセンサ１００は、仕切りカバー６１中に埋め込まれる。そして、においセンサ１００は、その検知面１０４が野菜室４側を向くように設置されている。
【００９３】
＜設置事例２＞
この場合、においセンサ１００は、具体例３で説明した設置領域３０２において、冷蔵室３の底板６２の冷蔵庫１の後側（ダクトカバー６３の手前）であり且つチルド室１２の排気穴の直下または付近に、図７Ｃに示したような形態で設置されている。すなわち、この場合、においセンサ１００は、チルド室１２からの排気を直角で受けることができるように、その検知面１０４を底板６２の面に対して４５度だけ傾けて設置されている。
【００９４】
＜設置事例３＞
この場合、においセンサ１００は、具体例４で説明した設置領域３０３において、冷蔵庫１の左側の野菜室４の側面であり且つ仕切りカバー６１の直下（例えば仕切りカバー６１から約２０ｃｍ下）であるとともに冷蔵庫１の前面から所定距離（例えば約１５ｃｍ）離れた位置に、図６Ａに示したような形態で設置されている。すなわち、この場合、野菜室４の側面の上述した位置に溝が掘られており、においセンサ１００は、野菜室４の側面に埋め込まれる。そして、においセンサ１００は、その検知面１０４が野菜室４を向くように設置されている。
【００９５】
＜設置事例４＞
この場合、においセンサ１００は、具体例５で説明した設置領域３０４において、冷蔵庫１の後面（背面）の左右方向中央であり且つ蒸発器２８から下方向に所定距離（例えば約１０ｃｍ）だけ離れた位置に、図６Ａに示したような形態で設置されている。すなわち、この場合、冷蔵庫１の背面の上述した位置に溝が掘られており、においセンサ１００は、冷蔵庫１の背面に埋め込まれる。そして、においセンサ１００は、その検知面１０４が冷蔵庫１の前面方向を向くように設置されている。
【００９６】
＜設置事例５＞
この場合、においセンサ１００は、具体例６で説明した設置領域３０５において、野菜室４の左側面の手前から所定距離（約５ｃｍ）だけ離れた位置に、野菜室４の左側面および底面に接するように、図６Ａに示したような形態で設置されている。すなわち、この場合、野菜室４の左側面と底面の上述した位置に溝が掘られており、においセンサ１００は、野菜室４の左側面と底面に埋め込まれる。そして、においセンサ１００は、その検知面１０４が冷蔵庫１（野菜室４）の中心方向を向くように、約４５度傾けて設置されている。
【００９７】
＜設置事例６＞
この場合、においセンサ１００は、具体例７で説明した設置領域３０６において、扉３ａの下端から所定距離（例えば約１０ｃｍ）だけ上であり且つ扉３ａの右端の位置に、図６Ａに示したような形態で設置されている。すなわち、この場合、扉３ａの上述した位置に溝が掘られており、においセンサ１００は、扉３ａに埋め込まれる。そして、においセンサ１００は、その検知面１０４が、扉３ａと平行、つまり冷蔵庫１の手前方向を向くように設置されている。
【００９８】
また、この場合、においセンサ１００は、具体例７で説明した設置領域３０７において、扉４ａの上端から所定距離（例えば約１０ｃｍ）だけ下であり且つ扉４ａの左右方向中央の位置に、図６Ａに示したような形態で設置されている。すなわち、この場合、扉４ａの上述した位置に溝が掘られており、においセンサ１００は、扉４ａに埋め込まれる。そして、においセンサ１００は、その検知面１０４が、扉４ａと平行、つまり冷蔵庫１の手前方向を向くように、または、約４５度上方を向くように設置されている。
【００９９】
＜設置事例７＞
この場合、においセンサ１００は、具体例９で説明した設置領域３０８において、チルド室１２の天井を構成する棚板１１ｄの上面であって、冷蔵庫１の奥から所定距離（例えば約１０ｃｍ）だけ手前の位置であり且つ左右方向中央の位置に、図６Ｃに示したような形態で設置されている。この場合、においセンサ１００は、その検知面１０４が、冷蔵庫１（冷蔵室３）の天井方向を向くように設置されている。
【０１００】
＜設置事例８＞
この場合、においセンサ１００は、具体例１０で説明した設置領域３０９において、チルド室１２を開閉する扉１２ａの左端から所定距離（例えば約５ｃｍ）の位置に、図６Ｃに示したような形態（扉１２ａから露出する形）で設置されている。そして、においセンサ１００は、その検知面１０４が冷蔵庫１の手前方向を向くように設置されている。なお、この場合、においセンサ１００は、図６Ａに示したような形態のように、扉１２ａに埋め込む形で設置してもよい。
【０１０１】
＜設置事例９＞
この場合、においセンサ１００は、具体例１１で説明した設置領域３１０において、棚板１１ｂの左右方向中央であり且つ前後方向中央の位置に、図６Ａに示したような形態で設置されている。すなわち、この場合、棚板１１ｂの上述した位置に溝が掘られており、においセンサ１００は、棚板１１ｂに埋め込まれる。そして、においセンサ１００は、その検知面１０４が冷蔵庫１（冷蔵室３）の天井方向を向くように設置されている。
【０１０２】
＜設置事例１０＞
この場合、においセンサ１００は、具体例１２で説明した設置領域３１１において、ケース２４ａの背面の中央の位置に、図６Ａに示したような形態で設置されている。すなわち、この場合、ケース２４ａの背面の上述した位置に溝が掘られており、においセンサ１００は、ケース２４ａの背面に埋め込まれる。そして、においセンサ１００は、その検知面１０４が冷蔵庫１（下部冷凍室７）の手前方向を向くように設置されている。
【０１０３】
＜設置事例１１＞
この場合、においセンサ１００は、具体例１３で説明した設置領域３１２において、製氷タンク１３の前面であり且つ底から所定距離（例えば約１０ｃｍ）だけ上の位置に、図６Ａに示したような形態で設置されている。すなわち、この場合、製氷タンク１３の前面の上述した位置に溝が掘られており、においセンサ１００は、製氷タンク１３の前面に埋め込まれる。そして、においセンサ１００は、その検知面１０４が冷蔵庫１（冷蔵室３）の手前方向を向くように設置されている。
【０１０４】
＜設置事例１２＞
この場合、においセンサ１００は、具体例１４で説明した設置領域３１３において、扉３ａに設けられた下段のドアポケット１０ａの左右方向中央であり且つドアポケット１０ａのユニットの上端から所定距離（例えば約５ｃｍ）だけ下の位置に、図６Ａに示したような形態で設置されている。すなわち、この場合、ドアポケット１０ａおよび扉３ａの上述した位置に溝が掘られており、においセンサ１００は、ドアポケット１０ａおよび扉３ａに埋め込まれる。そして、においセンサ１００は、扉３ａが閉じられた状態において、その検知面１０４が冷蔵庫１（冷蔵室３）の内部方向を向くように設置されている。
【０１０５】
＜設置事例１３＞
この場合、においセンサ１００は、具体例１５で説明した設置領域３１４において、縦仕切り１７の下端から所定距離（例えば約１０ｃｍ）だけ上の位置に、図６Ａに示したような形態で設置されている。すなわち、この場合、縦仕切り１７の上述した位置に溝が掘られており、においセンサ１００は、縦仕切り１７に埋め込まれる。そして、においセンサ１００は、扉３ａが閉じられた状態（縦仕切り１７が開いている状態）において、その検知面１０４が冷蔵庫１（冷蔵室３）の内部方向を向くように設置されている。そのため、ニオイセンサ１００の検知面１０４は、扉３ａが開いている状態（縦仕切り１７が閉じられた状態）において、扉３ａと縦仕切り１７に挟まれた向きとなる。
【０１０６】
＜設置事例１４＞
この場合、においセンサ１００は、具体例１６で説明した設置領域３１５において、蒸発器２８のカバー６４外の２つの排気ダクトの間の位置に、図６Ａに示したような形態で設置されている。すなわち、この場合、カバー６４の上述した位置に溝が掘られており、においセンサ１００は、カバー６４に埋め込まれる。そして、においセンサ１００は、その検知面１０４が、チルド室１２に露出するとともに、冷蔵庫１（チルド室１２）の内部方向を向くように設置されている。
【０１０７】
＜設置事例１５＞
この場合、においセンサ１００は、具体例１７で説明した設置領域３１６において、蒸発器２８のカバー６４内に設けられた図示しない２機のファンの間から所定距離（例えば約５ｃｍ）だけ下の位置であり且つ蒸発器２８および脱臭装置２９（ファン）の間の位置に、図６Ｃに示したような形態で設置されている。すなわち、この場合、においセンサ１００は、カバー６４の奥側（冷蔵庫１背面）から突き出しており、カバー６４内に検知面１０４が露出している。そして、においセンサ１００は、その検知面１０４が、冷蔵庫１（チルド室１２）の内部方向を向くように設置されている。
【０１０８】
＜設置事例１６＞
この場合、においセンサ１００は、具体例１８で説明した設置領域３１７において、蒸発器２６のカバー６５内に設けられた図示しないファンの風下側の位置であり且つ蒸発器２６およびファンの間の位置に、図６Ｂに示したような形態で設置されている。すなわち、この場合、においセンサ１００は、カバー６５の奥側（冷蔵庫１背面）から突き出しており、カバー６５内に検知面１０４が露出している。そして、においセンサ１００は、その検知面１０４が、冷蔵庫１（下部冷凍室７）の内部方向を向くように設置されている。
【０１０９】
以上説明したように、本実施形態の冷蔵庫１には、複数のにおいを検出可能であるにおいセンサ１００が搭載されている。そして、においセンサ１００は、においセンサ１００を効率的に機能させるように設定された設置領域に設けられている。そして、その設置領域の設定などの具体例１〜３１によれば、冷蔵庫１の冷却性能を良好に維持しつつ、対象とするにおいの検出精度を向上することができるという優れた効果が得られる。
【０１１０】
また、各具体例１〜３１のそれぞれには、上述したような特徴があり、それによる特有の効果が得られる。したがって、冷蔵庫１ににおいセンサ１００を設けるにあたって、各具体例１〜３１のうち少なくともいずれか一つに基づいて、においセンサ１００の設置領域を設定すればよい。
【０１１１】
（その他の実施形態）
なお、本発明は上記し且つ図面に記載した実施形態に限定されるものではなく、その要旨を逸脱しない範囲で任意に変形、組み合わせ、あるいは拡張することができる。
上記各実施形態で示した数値などは例示であり、それに限定されるものではない。
【０１１２】
冷蔵庫１に搭載されるにおい検出装置としては、においセンサ１００に限らず、１つの分子を検出することができるものも含め、様々な構成のにおい検出装置を採用することができる。例えば、センサ素子１０２を実装するための基板は、図９Ａに示すように正方形状の基板５１でもよいし、図９Ｂに示すように長方形状の基板５２でもよいし、図９Ｃに示すように円形状の基板５３でもよい。
【０１１３】
すなわち、センサ素子１０２を実装するための基板の形状は適宜変更可能である。また、基板形状の変更に伴い、センサ素子１０２、ひいては検知面１０４の数、配置などについても適宜変更すればよい。さらに、図９Ｄに示すように、センサ素子１０２を実装するための基板を、複数の基板５４ａ、５４ｂに分割することも可能である。ただし、この場合、基板５４ａ、５４ｂ間の電気的接続を図るための配線５５が必要となる。
【０１１４】
におい検出装置として、においセンサ１００に代えて、別のにおいセンサ、例えば１つの分子を検出することができるにおいセンサを用いた場合でも、各具体例１〜３１のうち少なくともいずれか一つに基づいて、そのにおいセンサの設置領域を設定すればよい。このようにした場合でも、上記実施形態と同様、冷蔵庫１の冷却性能を良好に維持しつつ、対象とするにおいの検出精度を向上することができるという効果などを得ることができる。
【０１１５】
においセンサ１００は、冷蔵庫１の外部の装置との間で無線通信を行うことができる無線通信部を備える構成でもよい。このようにすれば、においセンサ１００による検出の結果を、冷蔵庫１外部の装置（例えばスマートフォン、タブレット端末などの携帯端末）に送信することが可能となり、においの検出結果を、その装置のディスプレイなどの表示部を介して表示させることができる。
【０１１６】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2019111850.tif 000003
【図２】
2019111850.tif 000004
【図３】
2019111850.tif 000005
【図４】
2019111850.tif 000006
【図５】
2019111850.tif 000007
【図６Ａ】
2019111850.tif 000008
【図６Ｂ】
2019111850.tif 000009
【図６Ｃ】
2019111850.tif 000010
【図６Ｄ】
2019111850.tif 000011
【図７Ａ】
2019111850.tif 000012
【図７Ｂ】
2019111850.tif 000013
【図７Ｃ】
2019111850.tif 000014
【図８Ａ】
2019111850.tif 000015
【図８Ｂ】
2019111850.tif 000016
【図８Ｃ】
2019111850.tif 000017
【図９Ａ】
2019111850.tif 000018
【図９Ｂ】
2019111850.tif 000019
【図９Ｃ】
2019111850.tif 000020
【図９Ｄ】
2019111850.tif 000021
【国際調査報告】
2019111850.tif 000022
2019111850.tif 000023
2019111850.tif 000024
2019111850.tif 000025